(57)【要約】【課題】  本発明は、液晶ディスプレイの応答速度を改善することが可能なエッジ強調処理装置、及びそのようなエッジ強調処理装置を備えた液晶表示装置を提供することを目的とする。【解決手段】  エッジ強調処理装置は、画像信号の供給端に結合され画像信号の画像エッジの存在を示す第１の信号を出力端に出力するエッジ検出部と、供給端に結合され画像エッジに関するマッハ効果の程度を示す第２の信号を出力端に出力するマッハ判定部と、供給端と、エッジ検出部の出力端と、マッハ判定部の出力端に結合され第１の信号と第２の信号とに応じて画像信号の明度の変化量及び彩度の変化量を決定し、決定された明度の変化量及び彩度の変化量に応じて明度及び彩度の少なくとも一方を変化させることによりエッジ強調処理を施した画像信号を出力するエッジ強調部を含むことを特徴とする。【選択図】  図２
2006270421.tif 000002
【特許請求の範囲】
【請求項１】
画像信号の供給端に結合され該画像信号の画像エッジの存在を示す第１の信号を出力端に出力するエッジ検出部と、
該供給端に結合され該画像エッジに関するマッハ効果の程度を示す第２の信号を出力端に出力するマッハ判定部と、
該供給端と、該エッジ検出部の出力端と、該マッハ判定部の出力端に結合され該第１の信号と該第２の信号とに応じて該画像信号の明度の変化量及び彩度の変化量を決定し、該決定された明度の変化量及び彩度の変化量に応じて明度及び彩度の少なくとも一方を変化させることによりエッジ強調処理を施した該画像信号を出力するエッジ強調部
を含むことを特徴とするエッジ強調処理装置。
【請求項２】
該エッジ強調部は、所定の色差の範囲内に収まるように該画像信号の明度の変化量及び彩度の変化量を決定することを特徴とする請求項１記載のエッジ強調処理装置。
【請求項３】
該エッジ強調部は、所定の色差の範囲内での該画像信号の明度の変化量、彩度の変化量、色相の変化量についての複数の組み合わせから、該画像信号を表示する装置の応答速度が最速となる組み合わせを選択し、該選択された組み合わせに応じて該エッジ強調処理を実行することを特徴とする請求項１記載のエッジ強調処理装置。
【請求項４】
所定の表色系の第１の画像を色変換することにより該画像信号を求め該供給端に供給する第１の色変換部と、
該エッジ強調部の出力に結合され該エッジ強調処理を施した該画像信号を色変換することにより該所定の表色系の第２の画像を生成する第２の色変換部
を更に含むことを特徴とする請求項１記載のエッジ強調処理装置。
【請求項５】
画像信号の供給端に結合され該画像信号の画像エッジの存在を示す検出信号を出力端に出力するエッジ検出部と、
該供給端と該エッジ検出部の出力端とに結合され該検出信号に応じて、所定の色差の範囲内での該画像信号の明度の変化量、彩度の変化量、色相の変化量についての複数の組み合わせから、該画像信号を表示する装置の応答速度が最速となる組み合わせを選択し、該選択された組み合わせに応じて明度、彩度、及び色相の少なくとも１つを変化させることによりエッジ強調処理を施した該画像信号を出力するエッジ強調部
を含むことを特徴とするエッジ強調処理装置。
【請求項６】
画像信号の供給端に結合され該画像信号の画像エッジの存在を示す第１の信号を出力端に出力するエッジ検出部と、
該供給端に結合され該画像エッジに関するマッハ効果の程度を示す第２の信号を出力端に出力するマッハ判定部と、
該供給端と、該エッジ検出部の出力端と、該マッハ判定部の出力端に結合され該第１の信号と該第２の信号とに応じて該画像信号の明度の変化量及び彩度の変化量を決定し、該決定された明度の変化量及び彩度の変化量に応じて明度及び彩度の少なくとも一方を変化させることによりエッジ強調処理を施した該画像信号を出力するエッジ強調部、
を含むことを特徴とする液晶表示装置。
【請求項７】
該エッジ強調部は、所定の色差の範囲内に収まるように該画像信号の明度の変化量及び彩度の変化量を決定することを特徴とする請求項６記載の液晶表示装置。
【請求項８】
該エッジ強調部は、所定の色差の範囲内での該画像信号の明度の変化量、彩度の変化量、色相の変化量についての複数の組み合わせから、該画像信号を表示する装置の応答速度が最速となる組み合わせを選択し、該選択された組み合わせに応じて該エッジ強調処理を実行することを特徴とする請求項６記載の液晶表示装置。
【請求項９】
所定の表色系の第１の画像を色変換することにより該画像信号を求め該供給端に供給する第１の色変換部と、
該エッジ強調部の出力に結合され該エッジ強調処理を施した該画像信号を色変換することにより該所定の表色系の第２の画像を生成する第２の色変換部
を更に含むことを特徴とする請求項６記載の液晶表示装置。
【請求項１０】
画像信号の供給端に結合され該画像信号の画像エッジの存在を示す検出信号を出力端に出力するエッジ検出部と、
該供給端と該エッジ検出部の出力端とに結合され該検出信号に応じて、所定の色差の範囲内での該画像信号の明度の変化量、彩度の変化量、色相の変化量についての複数の組み合わせから、該画像信号を表示する装置の応答速度が最速となる組み合わせを選択し、該選択された組み合わせに応じて明度、彩度、及び色相の少なくとも１つを変化させることによりエッジ強調処理を施した該画像信号を出力するエッジ強調部
を含むことを特徴とする液晶表示装置。
【発明の詳細な説明】
【技術分野】
【０００１】
本発明は、一般に画像処理に関し、詳しくは画像中のエッジの強調を行うエッジ強調処理に関する。
【背景技術】
【０００２】
ＣＲＴディスプレイにおいて画像を表示する際には、画像に対してエッジ強調処理を適用することにより、画像中の輪郭等におけるボケを改善している。従来のこのようなエッジ強調においては、明度を変化させることによりエッジを強調する処理が実行される。
【０００３】
図１は、従来のエッジ強調処理ユニットの構成を示す図である。図１のエッジ強調処理ユニットは、色変換部１０、エッジ検出部１１、エッジ強調部１２、及び色変換部１３を含む。
【０００４】
色変換部１０は、入力ＲＧＢをＬＣｈに変換する。ここでＬは明度、Ｃは彩度、ｈは色相である。実際には明度、彩度、色相などは主観量であるので、これらに相関がある客観量として例えばＣＩＥＬ＊ａ＊ｂ＊色空間で定義されたメトリック明度、メトリック彩度、メトリック色相が用いられる。
【０００５】
具体的には、ＲＧＢからＬＣｈへの変換は、ＲＧＢ表色系からＸＹＺ表色系に変換し、更にＸＹＺ表色系からＣＩＥＬ＊ａ＊ｂ＊表色系に変換し、更にＣＩＥＬ＊ａ＊ｂ＊表色系においてメトリック明度、メトリック彩度、メトリック色相を求めればよい。ＲＧＢ表色系とＸＹＺ表色系とは、
R=(xR/yR)RγYR+(xG/yG)GγYG+(xB/yB)BγYB
G=RγYR+GγYG+BγYB                                              （１）
Z=(zR/yR)RγYR+(zG/yG)GγYG+(zB/yB)BγYB
で関係付けられる。ここでＲγ、Ｇγ、Ｂγは表示装置のγ特性を考慮したＲＧＢ値、ＹＲ、ＹＧ、ＹＢはＲＧＢ各原色の最高輝度を考慮したホワイトバランス、ｘｉ、ｙｉは原色ｉのｘｙ色度座標、ｚｉは１−ｘｉ−ｙｉである。
【０００６】
またＸＹＺ表色系とＣＩＥＬ＊ａ＊ｂ＊表色系とは、
L*=116(Y/Yn)1/3-16
a*=500[(X/Xn)1/3-(Y/Yn)1/3]                                            （２）
b*=200[(Y/Yn)1/3-(Z/Zn)1/3]
で関係付けられる。但し、Ｙ／Ｙ≦０．００８８５６，Ｘ／Ｘｎ≦０．００８８５６，Ｚ／Ｚｎ≦０．００８８５６であれば、上式において
(Y/Yn)1/3→7.787(Y/Yn) + 16/116
(X/Xn)1/3→7.787(X/Xn) + 16/116
(Z/Zn)1/3→7.787(Z/Zn) + 16/116
に変更される。
【０００７】
このようにして計算されたＣＩＥＬ＊ａ＊ｂ＊表色系において、メトリック明度は上記L*であり、またメトリック彩度及びメトリック色相差は
c*=(a*2+b*2)1/2                                                    （３）
Δh*=[(Δa*)2+(Δb*)2-(Δc*)2]1/2                                    （４）
となる。前述のように、これらのメトリック量が、明度Ｌ、彩度Ｃ、色相ｈとして用いられる。
【０００８】
図１においてエッジ検出部１１は、画素間の明度Ｌの差を計算することによりエッジを検出する。エッジ検出部１１は、画像中の着目位置におけるエッジの有無を示す信号をエッジ強調部１２に供給する。
【０００９】
エッジ強調部１２は、エッジ検出部１１から供給される信号がエッジの存在を示すときに、明度Ｌを変化させることにより、エッジを強調する処理を行う。この際、彩度Ｃ及び色相ｈについては何ら変化させない。
【００１０】
このようにしてエッジ強調部１２は、エッジ強調処理後の明度Ｌ’、彩度Ｃ、色相ｈを生成する。色変換部１３は、入力Ｌ’ＣｈをＲ’Ｇ’Ｂ’に変換する。これにより彩度や色相を変化させること無く、明度のみを変化させたエッジ強調処理が行われる。エッジ強調処理が行われた画像信号Ｒ’Ｇ’Ｂ’は、液晶表示ディスプレイに供給され画像が表示される。
【００１１】
液晶ディスプレイに対して上記のようなエッジ強調処理を行うと、マッハ効果が強く現れてしまう。ここでマッハ効果とは、異なる明度（又は彩度、色相）の領域が隣接しているときに、人間の視知覚性により境界部分の変化が強調されて知覚される効果を言う。このマッハ効果により、本来は一定の明度（又は彩度、色相）である領域にグラデーションがあるように見えてしまう。
【００１２】
また液晶ディスプレイにおいてはＣＲＴと異なり、ホールド発光で応答速度が遅いという特性がある。このために動きのある画像を表示する場合、エッジ部分即ち輪郭部分がボケてしまうという問題がある。
【特許文献１】特開２００１−２０３９１１号公報
【発明の開示】
【発明が解決しようとする課題】
【００１３】
以上を鑑みて本発明は、マッハ効果による過剰強調を抑制し液晶ディスプレイに適したエッジ強調処理を行うエッジ強調処理装置、及びそのようなエッジ強調処理装置を備えた液晶表示装置を提供することを目的とする。
【００１４】
また本発明は、液晶ディスプレイの応答速度を改善することが可能なエッジ強調処理装置、及びそのようなエッジ強調処理装置を備えた液晶表示装置を提供することを目的とする。
【課題を解決するための手段】
【００１５】
本発明によるエッジ強調処理装置は、画像信号の供給端に結合され該画像信号の画像エッジの存在を示す第１の信号を出力端に出力するエッジ検出部と、該供給端に結合され該画像エッジに関するマッハ効果の程度を示す第２の信号を出力端に出力するマッハ判定部と、該供給端と、該エッジ検出部の出力端と、該マッハ判定部の出力端に結合され該第１の信号と該第２の信号とに応じて該画像信号の明度の変化量及び彩度の変化量を決定し、該決定された明度の変化量及び彩度の変化量に応じて明度及び彩度の少なくとも一方を変化させることによりエッジ強調処理を施した該画像信号を出力するエッジ強調部を含むことを特徴とする。
【００１６】
また本発明の別の側面によれば、エッジ強調処理装置は、画像信号の供給端に結合され該画像信号の画像エッジの存在を示す検出信号を出力端に出力するエッジ検出部と、該供給端と該エッジ検出部の出力端とに結合され該検出信号に応じて、所定の色差の範囲内での該画像信号の明度の変化量、彩度の変化量、色相の変化量についての複数の組み合わせから、該画像信号を表示する装置の応答速度が最速となる組み合わせを選択し、該選択された組み合わせに応じて明度、彩度、及び色相の少なくとも１つを変化させることによりエッジ強調処理を施した該画像信号を出力するエッジ強調部を含むことを特徴とする。
【発明の効果】
【００１７】
マッハ効果は明度変化で強く発生するので、本発明の少なくとも１つの実施例においては、マッハ効果による過剰強調を抑制するために明度によるエッジ強調ではなく彩度を主としたエッジ強調処理を実行する。これにより、マッハ効果による過度の強調を避けながら、適切なエッジ強調処理を実現することができる。
【００１８】
また本発明の少なくとも１つの実施例によれば、画像信号の明度の変化量、彩度の変化量、色相の変化量についての複数の組み合わせから画像信号を表示する装置の応答速度が最速となる組み合わせを選択し、明度、彩度、及び色相を変化させることによりエッジ強調処理を実行する。これにより、必要なエッジ強調処理を実行しながら応答速度を早くすることができる。
【発明を実施するための最良の形態】
【００１９】
以下に、本発明の原理及び実施例について添付の図面を用いて詳細に説明する。
【００２０】
マッハ効果は、明度対比、彩度対比、色相対比の何れによっても発生する。しかしその効果の大きさは、明度対比＞彩度対比＞色相対比の順である。このようにマッハ効果は明度変化で強く発生するので、マッハ効果による過剰強調を抑制するためには、明度によるエッジ強調ではなく彩度を主としたエッジ強調処理を行うことが有効である。
【００２１】
彩度によるエッジ強調を考える際には、リーブマン効果を考慮してエッジ強調処理を実行することが好ましい。リーブマン効果とは、図形と地色との区別のつき易さは、それらの配色に依存するものであり、例えば黄色と黒の場合に可視度が最も高くなるというものである。このようなリーブマン効果を考慮しながら、所定の色差に収まる範囲内で、彩度Ｃを変化させればよい。
【００２２】
ここで色差の計算には、例えばＣＩＥ１９９４色差式、
ΔE=[(Δh*/(1+0.015c*))2+(ΔL*)2+(Δc*/(1+0.045c*))2]1/2            （５）
を用いてよい。ここで、ΔL*、Δh*、Δc*はそれぞれの心理メトリック量の差である。
【００２３】
具体的には、例えばΔＥが２．０以下である範囲内で、彩度Ｃを変化させることによりエッジの強調処理を実行すればよい。即ち、ΔＥが２．０以下である範囲内で適度に彩度差をつけることにより、画像中の輪郭におけるボケを改善する。
【００２４】
なおこの際、マッハ効果が強く出ない画像部分に対しては、従来同様に明度の変化によりエッジ強調処理を実行すればよい。即ち、画像中の位置に依存したマッハ効果の強さに応じて、明度変化の割合と彩度変化の割合とを適宜切り換えればよい。
【００２５】
また前述のように、液晶ディスプレイにおいてはホールド発光で応答速度が遅いことが要因となって、動きのある画像においてエッジ部分即ち輪郭部分がボケてしまうという問題がある。本発明においてはエッジ強調処理をする際に、所定の色差ΔＥを実現する明度差ΔＬ、彩度差ΔＣ、色相差Δｈの組み合わせを複数個求め、この複数個の組み合わせの中から最も応答速度が速くなるような組み合わせを選択する。こうして選択された明度差ΔＬ、彩度差ΔＣ、色相差Δｈによりエッジ強調処理を実行する。
【００２６】
図２は、本発明によるエッジ強調処理回路の第１の実施例の構成を示す図である。図２において、図１と同一の構成要素は同一の参照番号で参照し、その説明は省略する。
【００２７】
図２のエッジ強調処理ユニットは、色変換部１０、エッジ検出部２１、エッジ強調部２２、マッハ判定部２３、及び色変換部１３を含む。
【００２８】
エッジ検出部２１は、画素間の明度Ｌ、彩度Ｃ、色相ｈの差を計算することによりエッジを検出する。エッジ検出部２１は、画像中の着目位置におけるエッジの有無を示す信号をエッジ強調部２２に供給する。
【００２９】
マッハ判定部２３は、画素間の明度Ｌ、彩度Ｃ、色相ｈに基づいてマッハ効果の強さ（エッジ強調により発生するであろうマッハ効果の強さ）を判定する。マッハ判定部２３は、画像中の着目位置におけるマッハ効果の強さを示す信号、即ちマッハ判定の判定結果を示す信号をエッジ強調部２２に供給する。
【００３０】
エッジ強調部２２は、エッジ検出部２１から供給される信号がエッジの存在を示すときに、明度Ｌ、彩度Ｃ、色相ｈのうちの少なくとも１つを変化させることにより、エッジを強調する処理を行う。マッハ判定部２３からの判定結果信号が強いマッハ効果の存在を示す場合、明度Ｌ変化に基づく通常のエッジ強調処理に対してリーブマン補正を行う。具体的には所定の色差を確保しつつ、明度変化によるエッジ強調処理から彩度変化によるエッジ強調処理に切り換える。
【００３１】
エッジ強調部２２においては、エッジ強調処理のための明度Ｌ、彩度Ｃ、色相ｈの変化量を、ＣＰＵによる演算プログラムの実行によりマッハ判定結果に基づいて算出してよい。或いは、マッハ判定結果に応じた適切な明度Ｌ、彩度Ｃ、色相ｈの変化量を予めルックアップテーブルに格納しておき、マッハ判定部２３からの判定結果に応じてルックアップテーブルを参照することにより、エッジ強調処理のための明度Ｌ、彩度Ｃ、色相ｈの変化量を決定するように構成してもよい。
【００３２】
なおマッハ判定及びリーブマン補正は周知の技術でありその説明は省略する。また具体的な明度Ｌ、彩度Ｃ、色相ｈの変化量の決定方法については、特定のアルゴリズムに限定されるものではない。
【００３３】
このようにしてエッジ強調部２２は、エッジ強調処理後の明度Ｌ’、彩度Ｃ’、色相ｈ’を生成する。これらの明度Ｌ’、彩度Ｃ’、色相ｈ’は、色変換部１３に供給されて、Ｒ’Ｇ’Ｂ’に変換される。エッジ強調処理が行われた画像信号Ｒ’Ｇ’Ｂ’は、液晶表示ディスプレイに供給され画像が表示される。これにより、マッハ効果による過度の強調を避けながら、適切なエッジ強調処理を実現することができる。
【００３４】
図３は、本発明によるエッジ強調処理回路の第２の実施例の構成を示す図である。図３において、図２と同一の構成要素は同一の参照番号で参照し、その説明は省略する。
【００３５】
図３のエッジ強調処理ユニットは、色変換部１０、エッジ検出部２１、エッジ強調部３２、及び色変換部１３を含む。
【００３６】
エッジ検出部２１は、画素間の明度Ｌ、彩度Ｃ、色相ｈの差を計算することによりエッジを検出する。エッジ検出部２１は、画像中の着目位置におけるエッジの有無を示す信号をエッジ強調部３２に供給する。
【００３７】
エッジ強調部３２は、エッジ検出部２１から供給される信号がエッジの存在を示すときに、明度Ｌ、彩度Ｃ、色相ｈのうちの少なくとも１つを変化させることにより、エッジを強調する処理を行う。エッジ強調部３２は、エッジ検出部２１からの信号によりエッジ強調が必要であると判断すると、所定の色差となる明度Ｌ、彩度Ｃ、色相ｈの組み合わせを複数個算出する。エッジ強調部３２は、この組み合わせの中から応答速度の最も早い組み合わせを選択して、エッジ強調処理後の明度Ｌ’、彩度Ｃ’、色相ｈ’として出力する。
【００３８】
これらの明度Ｌ’、彩度Ｃ’、色相ｈ’は、色変換部１３に供給されて、Ｒ’Ｇ’Ｂ’に変換される。エッジ強調処理が行われた画像信号Ｒ’Ｇ’Ｂ’は、液晶表示ディスプレイに供給され画像が表示される。これにより、必要なエッジ強調処理を実行しながら応答速度を早くすることができる。
【００３９】
なお明度Ｌ、彩度Ｃ、色相ｈの各組み合わせに対する応答速度の推定は、周知の技術でありその説明は省略する。
【００４０】
図４は、本発明によるエッジ強調処理回路の第３の実施例の構成を示す図である。図４において、図２と同一の構成要素は同一の参照番号で参照し、その説明は省略する。
【００４１】
図４のエッジ強調処理ユニットは、色変換部１０、エッジ検出部２１、エッジ強調部４２、マッハ判定部２３、及び色変換部１３を含む。図４に示す第３の実施例によるエッジ強調部４２は、第１の実施例のエッジ強調部２２の機能と第２の実施例のエッジ強調部３２の機能と両方備えている。
【００４２】
エッジ検出部２１は、第１の実施例及び第２の実施例の場合と同様に、画素間の明度Ｌ、彩度Ｃ、色相ｈの差を計算することによりエッジを検出する。エッジ検出部２１は、画像中の着目位置におけるエッジの有無を示す信号をエッジ強調部４２に供給する。
【００４３】
マッハ判定部２３は、第１の実施例の場合と同様に、画素間の明度Ｌ、彩度Ｃ、色相ｈに基づいてマッハ効果の強さ（エッジ強調により発生するであろうマッハ効果の強さ）を判定する。マッハ判定部２３は、画像中の着目位置におけるマッハ効果の強さを示す信号、即ちマッハ判定の判定結果を示す信号をエッジ強調部４２に供給する。
【００４４】
エッジ強調部４２は、エッジ検出部２１から供給される信号がエッジの存在を示すときに、明度Ｌ、彩度Ｃ、色相ｈのうちの少なくとも１つを変化させることにより、エッジを強調する処理を行う。マッハ判定部２３からの判定結果信号が強いマッハ効果の存在を示す場合、明度Ｌ変化に基づく通常のエッジ強調処理に対してリーブマン補正を行う。具体的には所定の色差を確保しつつ、明度変化によるエッジ強調処理から彩度変化によるエッジ強調処理に切り換える。この際、所定の色差となる明度Ｌ、彩度Ｃ、色相ｈの組み合わせを複数個算出する。エッジ強調部４２は、この組み合わせの中から応答速度の最も早い組み合わせを選択して、エッジ強調処理後の明度Ｌ’、彩度Ｃ’、色相ｈ’として出力する。
【００４５】
これらの明度Ｌ’、彩度Ｃ’、色相ｈ’は、色変換部１３に供給されて、Ｒ’Ｇ’Ｂ’に変換される。エッジ強調処理が行われた画像信号Ｒ’Ｇ’Ｂ’は、液晶表示ディスプレイに供給され画像が表示される。これにより、マッハ効果による過度の強調を避けながら適切なエッジ強調処理を実現するとともに、液晶表示ディスプレイの応答速度を早くすることができる。
【００４６】
図５は、第３の実施例によるエッジ強調処理のテスト結果の表を示す図である。テスト用に用いたのは牛肉の映像であり、脂肪部分と肉部分とが隣り合って表示されている。図５の表の左端に示す白表示データが脂肪部分のＲＧＢ表示データを示し、その次に示す脂ピンク表示データが肉部分のＲＧＢ表示データを示す。このピンク表示データ部分に対して、図１に示す従来のエッジ強調処理を適用した結果と、図４に示す本発明の第３の実施例によるエッジ強調処理を適用した結果が示される。
【００４７】
図５の表において、Ｌ＊、ａ＊、ｂ＊はＣＩＥＬ＊ａ＊ｂ＊表色系のデータである。またＣｔ＊、ｈ＊ｄｅｇ、ΔＥ９４は、それぞれ彩度、色相角、ＣＩＥ１９９４色差式による色差である。また牛肉の画像を動かした場合の液晶ディスプレイの立ち上がり応答時間をＲｉｓｉｎｇ＿ｔｉｍｅとして示し、立ち下り応答時間をＦａｌｌｉｎｇ＿ｔｉｍｅとして示してある。
【００４８】
このテストにおいては、エッジ強調処理のための明度Ｌ、彩度Ｃ、色相ｈの変化の量を、色差ΔＥ９４の値が２以下となるように設定した。従来のエッジ強調処理では、明度Ｌ＊を４５．２から４７．１に変化させることでエッジを強調している。それに対して本発明によるエッジ強調処理では、明度Ｌ＊は４５．２から４４．９になるだけで殆んど変化しておらず、強いマッハ効果は発生しない。また従来のエッジ強調処理では彩度Ｃｔ＊が１６．７から１６．８となるだけであり、殆んど変化していない。それに対して本発明によるエッジ強調処理では彩度Ｃｔ＊を１６．７から２０．０にさせることでエッジを強調している。
【００４９】
また牛肉の画像を動かした場合の液晶ディスプレイの応答時間に着目すると、エッジ強調処理しない場合（入力データ）では、Ｒｉｓｉｎｇ＿Ｔｉｍｅは６５．２マイクロ秒、Ｆａｌｌｉｎｇ＿Ｔｉｍｅは４７．０マイクロ秒である。また従来のエッジ強調処理を適用した場合では、Ｒｉｓｉｎｇ＿Ｔｉｍｅは６５．５マイクロ秒、Ｆａｌｌｉｎｇ＿Ｔｉｍｅは５１．５マイクロ秒である。それに対して本発明のエッジ強調処理を適用した場合では、Ｒｉｓｉｎｇ＿Ｔｉｍｅは４６．３マイクロ秒、Ｆａｌｌｉｎｇ＿Ｔｉｍｅは３３．７マイクロ秒となり、応答速度が高速化されていることが分かる。
【００５０】
以上、本発明を実施例に基づいて説明したが、本発明は上記実施例に限定されるものではなく、特許請求の範囲に記載の範囲内で様々な変形が可能である。
【図面の簡単な説明】
【００５１】
【図１】従来のエッジ強調処理ユニットの構成を示す図である。
【図２】本発明によるエッジ強調処理回路の第１の実施例の構成を示す図である。
【図３】本発明によるエッジ強調処理回路の第２の実施例の構成を示す図である。
【図４】本発明によるエッジ強調処理回路の第３の実施例の構成を示す図である。
【図５】第３の実施例によるエッジ強調処理のテスト結果の表を示す図である。
【符号の説明】
【００５２】
１０  色変換部
１３  色変換部
２１  エッジ検出部
２２  エッジ強調部
２３  マッハ判定部
３２  エッジ強調部
４２  エッジ強調部
【図１】
2006270421.tif 000003
【図２】
2006270421.tif 000004
【図３】
2006270421.tif 000005
【図４】
2006270421.tif 000006
【図５】
2006270421.tif 000007